(57)【要約】【課題】簡便な構造で使い勝手よい実用的な昇降式洗面台を提供する。【解決手段】背板９と前記背板９の両側に配置された左右一対の側板１５とでコ字状に組み立てられた自立可能なスタンド３と、前記スタンド３に昇降可能に固定された洗面ボール２１とを備える昇降式洗面台１であって、前記側板１５には、前記洗面ボール２１を固定するためのナット１９が高さ方向に複数段埋め込まれ、前記洗面ボール２１は、裏側の両側に、前記ナット１９に螺合するねじを挿通するための挿通孔が設けられた固定部を有し、前記固定部がスタンド３にねじ止めされ固定される。【選択図】図１
0003182516.tif 000002
【実用新案登録請求の範囲】
【請求項１】
背板と前記背板の両側に配置された左右一対の側板とでコ字状に組み立てられた自立可能なスタンドと、前記スタンドに昇降可能に固定された洗面ボールとを備える昇降式洗面台であって、
前記側板には、前記洗面ボールを固定するための雌ねじが高さ方向に複数段設けられ、前記洗面ボールは、裏側の両側に、前記雌ねじに螺合するねじを挿通するための挿通孔が設けられた固定部を有し、前記固定部がスタンドにねじ止めされ固定されていることを特徴とする昇降式洗面台。
【請求項２】
前記洗面ボールは、上面が平らであり、中央に設けられた洗面部の両側の上面に広いスペースが設けられていることを特徴とする請求項１に記載の昇降式洗面台。
【考案の詳細な説明】
【技術分野】
【０００１】
本考案は、洗面ボール（洗面ボウル）の高さを変更して使用することができる昇降式洗面台に関する。
【背景技術】
【０００２】
洗面台は、洗面ボールが所定の高さに固定された固定式洗面台の他、洗面ボールを昇降させることができる昇降式洗面台も多く開発され、商品化されていることは周知のところである。昇降式洗面台については、特許出願、実用新案登録出願も多くなされている。
【０００３】
従来の一般的な昇降式洗面台は、特許文献１に見られるように、基台に対して洗面ボール及び化粧用鏡を取付けた洗面台本体を昇降装置で昇降させる。このような昇降式洗面台の場合、洗面ボールは、背部が洗面台本体に片持ち状で固定されることとなる。このような構造の昇降式洗面台は、昇降させる際の洗面ボールのモーメントが大きく、これに伴い昇降装置が大型化するとして、水栓を洗面ボールの側方に配置し、洗面ボールの奥行きを小さくした昇降式洗面台が開発されている（例えば特許文献２参照）。
【先行技術文献】
【特許文献】
【０００４】
【特許文献１】実開平５−８２３８４号公報
【特許文献２】特開平７−１３９００８号公報
【考案の概要】
【考案が解決しようとする課題】
【０００５】
従来の昇降式洗面台は、特許文献１及び特許文献２でも見られるように電動式の昇降装置により洗面ボールを取付けた洗面台本体ごと昇降させるためこれを支持する基台が大型化する。また昇降装置は、基台に組み込まれるのでコンパクト化する必要があるが、コンパクトに配置しようとすると構造、機構が複雑となる。
【０００６】
本考案の目的は、簡便な構造で使い勝手よい実用的な昇降式洗面台を提供することである。
【課題を解決するための手段】
【０００７】
本考案の昇降式洗面台は、背板と前記背板の両側に配置された左右一対の側板とでコ字状に組み立てられた自立可能なスタンドと、前記スタンドに昇降可能に固定された洗面ボールとを備える昇降式洗面台であって、前記側板には、前記洗面ボールを固定するための雌ねじが高さ方向に複数段設けられ、前記洗面ボールは、裏側の両側に、前記雌ねじに螺合するねじを挿通するための挿通孔が設けられた固定部を有し、前記固定部がスタンドにねじ止めされ固定されていることを特徴とする。
【０００８】
本考案の昇降式洗面台は、洗面ボールが自立可能なスタンドに対してねじ止めされ、ねじ止めの位置を変更することで取り付け高さを変更するので確実に取り付け高さを変更することができる。洗面ボールの取り付け高さは、スタンドの側板に設ける雌ねじの間隔を小さくすれば、細かいピッチで変更することができる。
【０００９】
また本考案の昇降式洗面台は、洗面ボールを昇降させるために従来の昇降式洗面台で使用されているような電動式の昇降装置を必要としないのでスタンドをコンパクトにすることができる。さらに従来の昇降式洗面台と異なり、洗面ボールを背板ではなく両側の側板に固定するので、従来の昇降式洗面台で問題となっていた片持ち支持が解消され、結果、スタンドもコンパクトにすることができる。またスタンドが自立型なので、据付が簡単である。
【００１０】
また本考案の昇降式洗面台は、前記洗面ボールの上面が平らであり、中央に設けられた洗面部の両側の上面に広いスペースが設けられていることを特徴とする。
【００１１】
本考案の昇降式洗面台に用いられる洗面ボールは、上面が平らなので掃除をし易く清潔に保てる。さらに洗面部の両側の上面に広いスペースが設けられているので、物を置くことも可能であり使い勝手がよい。
【考案の効果】
【００１２】
本考案に係る昇降式洗面台は、簡便な構造で使い勝手よい実用的な洗面台である。
【図面の簡単な説明】
【００１３】
【図１】本考案の第１実施形態としての昇降式洗面台１の全体構成を示す斜視図である。
【図２】図１の昇降式洗面台１に水栓金具等が取り付けられ、洗面ボール２１を一番上げた状態の斜視図である。
【図３】図１の昇降式洗面台１に水栓金具等が取り付けられ、洗面ボール２１を一番上げた状態で、洗面ボール２１を下方から見た斜視図である。
【考案を実施するための形態】
【００１４】
図１は、本考案の第１実施形態としての昇降式洗面台１の全体構成を示す斜視図である。なお図１は、洗面ボール（洗面ボウル）２１を一番下げた状態である。また図２は、昇降式洗面台１に水栓金具等が取り付けられ、洗面ボール２１を一番上げた状態の斜視図、図３は、図２の状態の昇降式洗面台１に対して、洗面ボール２１を下方から見た斜視図である。
【００１５】
昇降式洗面台１は、自立可能なスタンド（サイドボード）３に洗面ボール（洗面台）２１が昇降可能に固定されてなる。スタンド３は、背板９と背板９の両側に配置された側板１５とからなり、背板９と側板１５とを平面視においてコ字状に連結、固定し自立させている。スタンド３の材質は、洗面ボール２１をしっかりと固定し、安定的に自立できるものであれば特定のものに限定されず、木製、合成樹脂製の板を使用することができる。
【００１６】
スタンド３の幅は、洗面ボール２１の幅と一致し、スタンド３に洗面ボール２１を取付けたとき、洗面ボール２１とスタンド３との間に隙間ができないようになっている。スタンド３の奥行は、洗面ボール２１の奥行よりも少し短くなっている。このためスタンド３に洗面ボール２１を取り付けたとき洗面ボール２１の背部２３は背板９に接するが、前部２５はスタンド３の前面５より飛び出す。スタンド３に洗面ボール２１を取り付けた状態で、幅（Ｗ）が７８０ｍｍ、奥行き（Ｄ）が５４５ｍｍ、高さ（Ｈ）が８２０ｍｍである。またスタンド３の前面上部の角７は、怪我を防止すべく丸味を帯びている。
【００１７】
背板９の高さは、側板１５の高さよりも低くなっており、背板９は、側板１５と上端１１が揃えられた状態で固定されているので、背板９の下端１３は床６１まで達していない。なお、背板９の高さは、側板１５の高さと同じであってもよい。
【００１８】
左右の側板１５は、同一であり、側板１５には洗面ボール２１を取付けるためのナット１９が高さを変えて複数段埋め込まれている。本実施形態では、洗面ボール２１の上面（天面）２２が６２０〜７７０ｍｍの範囲内で、洗面ボール２１を６段階の高さで可変させることができるように、ナット１９が１５ｍｍピッチで埋め込まれている。最上段のナット１９ａと側板１５の上端１７との間には、所定の距離が設けられ、洗面ボール２１を最も高い位置に取付けた状態で、洗面ボール２１の上端２７がスタンド３の上端８から突出しないようになっている。
【００１９】
洗面ボール２１は、幅（Ｗ）が７００ｍｍ、奥行き（Ｄ）が５０５ｍｍ、高さ（Ｈ）が１４０ｍｍであり、平面視において矩形の形状を有し、中央には平面視において矩形の洗面部２９が設けられている。洗面部２９の前側３１は、奥に向って傾斜している。このため洗面ボール２１の底部のうち前側は、突出量が小さく、車椅子６３に乗ったままの状態でも足が洗面ボール２１にぶつからず、洗面ボール２１に十分近づくことができる。
【００２０】
洗面部２９の両側上面部３５と背部上面部３７に、特に両側上面部３５には大きなスペースが設けられている。また洗面ボール２１の上面２２であって、前面及び両側上面部３５のうち前部を除く外周部には、段差部３９が設けられている。洗面ボール２１は、形状がシンプルで上面２２及び段差部３９が平らに形成されており、掃除がし易い。
【００２１】
洗面ボール２１の裏側２８の両側には、洗面ボール２１をスタンド３の側板１５に固定するための固定部４１が設けられている。固定部４１は、板状の形状を有し、側板１５に設けられたナット１９に螺合するねじ５７を挿通するための挿通孔４３が２個、両側で計４個設けられている。固定部４１は、長手方向の一端４５が上面２２に設けられた段差部３９の端部４０と同じ位置に設けられ、他端４７がスタンド３の背板９側に少し回り込むように設けられており、高さは、洗面部２９の底面とほぼ同じである。
【００２２】
以上の構成、形状を有する洗面ボール２１は、ＦＲＰで洗面部２９、段差部３９、固定部４１等を含め全体が一体成形されている。なお、洗面ボール２１には、通常の洗面ボールと同様に排水口４９を備え、排水トラップ５１、排水ホース５３、水栓金具５５が取付けられ使用される。
【００２３】
洗面ボール２１は、固定部４１の挿通孔４３にねじ５７を挿入し、該ねじ５７を側板１５に埋め込まれたナット１９に螺合させスタンド３に固定する。スタンド３には、６段階に高さを変えることができるようにナット１９が埋め込まれているので、所望の高さに簡単かつ確実に洗面ボール２１を取付けることが可能であり、身長差によらず、また車椅子６３を使用する人も使い易い。
【００２４】
以上のように本考案の昇降式洗面台１は、スタンド３に対して、ねじ止めの位置を変更することで洗面ボール２１の取り付け高さを変更するので、高さ変更を安定かつ確実に行うことができる。また本考案の昇降式洗面台１は、従来の昇降式洗面台で使用されているような電動式の昇降装置を必要とせず、さらに洗面ボール２１をスタンド３の背板９ではなく両側の側板１５に固定するので片持ち支持とならない。このためスタンド３もコンパクトにすることができる。またスタンド３が自立型なので、据付が簡単である。
【００２５】
また本考案の昇降式洗面台１は、構造が簡単で使い勝手に優れるほか、すっきりとしたデザインであり意匠的にも優れる。またシンプルなデザインであるため掃除もし易く清潔に保つことができる。さらに電動部品等を使用しないため故障の心配もなく、安価に製造することができる。なお、本考案の昇降式洗面台１は、上記実施形態で示した数値、材質等を含め上記実施形態に限定されるものではなく、要旨を変更しない範囲で変更することができる。
【符号の説明】
【００２６】
１  昇降式洗面台
３  スタンド
９  背板
１５  側板
１９  ナット
２１  洗面ボール
２２  洗面ボールの上面
２８  洗面ボールの裏側
２９  洗面部
３５  洗面部の両側上面部
４１  固定部
４３  挿通孔
５７  ねじ
【図１】
0003182516.tif 000003
【図２】
0003182516.tif 000004
【図３】
0003182516.tif 000005